(57)【要約】【課題】挟んだ麺に汁が絡みやすい箸を提供する。【解決手段】複数の環状溝９２を、箸本体１２の軸周りＲに沿って、先端部の側面に形成する。これにより、先端部の側面で挟んだ麺が環状溝９２に引っ掛かり、麺を箸１０に保持することができる。また、凹部９０を箸本体１２の軸方向に沿って先端部の側面に形成する。これにより、その凹部９０で汁を受けて、汁を箸本体１２の側面に留める(保持する）ことができる。従って、先端部の側面で挟んだ麺と、凹部９０に留めた汁とが絡みやすい。【選択図】図１
0003192028.tif 000002
【実用新案登録請求の範囲】
【請求項１】
棒状の箸本体と、
前記箸本体の先端部の側面に前記箸本体の軸方向に沿って形成された凹部と、
前記箸本体の先端部の前記凹部内を含む側面に、前記箸本体の軸周りに沿って形成された複数の環状溝と、
を備える箸。
【請求項２】
前記環状溝は、前記箸本体に対する側面視にて前記箸本体の軸方向に対して傾斜している
請求項１に記載の箸。
【請求項３】
前記箸本体は、
前記先端部を含む先端側の断面形状が四角形状とされ、
後端部を含む後端側の断面形状が六角形状とされ、
前記先端側から前記後端側までの断面形状が、十角形状を介して四角形状から六角形状に変化する
請求項１又は２に記載の箸。
【考案の詳細な説明】
【技術分野】
【０００１】
本考案は、箸に関する。
【背景技術】
【０００２】
特許文献１には、ラーメンやそば、うどん等の麺類を食する際に用いられる麺箸が開示されている。特許文献１の麺箸では、箸で挟んだ麺を箸から滑り落ちにくくするために、複数の螺旋状の溝を箸先端部に形成している。
【先行技術文献】
【特許文献】
【０００３】
【特許文献１】実用新案登録第３１５３６４１号公報
【考案の概要】
【考案が解決しようとする課題】
【０００４】
特許文献１のような麺箸では、麺を挟んだ際に、螺旋状の溝によって麺は保持されるが、箸に付着した汁は箸に保持されずに流れ落ちやすい。このため、麺と汁とが絡らみにくい。麺類を食す際には、麺と汁とが絡むことでおいしさが増すため、麺と汁とが絡んだ状態で、麺類を食せることが望ましい。
【０００５】
本考案は、上記事実に鑑み、挟んだ麺に汁が絡みやすい箸を提供することを課題とする。
【課題を解決するための手段】
【０００６】
請求項１に記載の考案に係る箸は、棒状の箸本体と、前記箸本体の先端部の側面に前記箸本体の軸方向に沿って形成された凹部と、前記箸本体の先端部の前記凹部内を含む側面に、前記箸本体の軸周りに沿って形成された複数の環状溝と、を備える。
【０００７】
請求項１に係る箸は、例えば、麺及び汁が入った器から当該麺を口へ運ぶ際に用いられる。この場合では、一対の箸の先端部の側面で、汁に浸かった麺を挟む。
【０００８】
請求項１に係る箸では、複数の環状溝が、箸本体の軸周りに沿って、先端部の側面に形成されているため、先端部の側面で挟んだ麺が環状溝に引っ掛かり、麺を箸に保持することができる。これにより、箸本体から麺が滑り落ちることを抑制できる。
【０００９】
また、請求項１に係る箸では、凹部が、箸本体の軸方向に沿って先端部の側面に形成されているため、その凹部で汁を受けて、汁を箸本体の側面に留める(保持する）ことができる。このため、先端部の側面で挟んだ麺と、凹部に留めた汁とが絡みやすい。従って、麺と汁とが絡んだ状態で、麺を口へ運ぶことができる。
【００１０】
さらに、請求項１に係る箸では、汁を受ける凹部内にも、環状溝が形成されているため、凹部内で汁と絡んだ状態の麺をしっかりと挟持して、口へ運ぶことができる。
【００１１】
請求項２に記載の考案に係る箸では、前記環状溝は、前記箸本体に対する側面視にて前記箸本体の軸方向に対して傾斜している。
【００１２】
請求項２に係る箸では、麺を口へ運ぶ際に、箸本体の軸周りに麺を掛けた場合に、麺に対して環状溝は傾斜した向きになる。これにより、環状溝の縁部（角部）が、麺に対して引っ掛かりやすい。このため、箸本体から麺が滑り落ちにくく、麺を口へ運びやすい。
【００１３】
請求項３に記載の考案に係る箸では、前記箸本体は、前記先端部を含む先端側の断面形状が四角形状とされ、後端部を含む後端側の断面形状が六角形状とされ、前記先端側から前記後端側までの断面形状が、十角形状を介して四角形状から六角形状に変化する。
【００１４】
請求項３に係る箸では、箸本体の持ち手部分となる後端側の断面形状が、六角形状となっているので、断面形状が四角形状である場合よりも角部の角度が大きい（緩い）。これにより、箸本体が指にフィットし、箸が持ちやすい。一方、麺を挟む先端側の断面形状が四角形状となっているので、断面形状が六角形状である場合よりも、角部の角度が小さく（きつく）、麺に食い込みやすい。このため、麺が箸本体から滑り落ちにくく、麺を口へ運びやすい。
【００１５】
さらに、請求項３に係る箸は、先端側から後端側までの断面形状が、十角形状を介して四角形状から六角形状に変化する。このため、断面四角形状の先端側から断面六角形状の後端側の間で、段差なく、箸本体の断面をスムーズに変化させることができる。
【考案の効果】
【００１６】
本考案は、上記構成としたので、箸本体の先端部で挟んだ麺に汁が絡みやすくなる。
【図面の簡単な説明】
【００１７】
【図１】箸の斜視図である。
【図２】（Ａ）は、箸の正面図であり、（Ｂ）は、（Ａ）の拡大図である。
【図３】箸の側面図である。
【図４】（Ａ）は、図３の４Ａ−４Ａ線断面図であり、（Ｂ）は、図３の４Ｂ−４Ｂ線断面図であり、（Ｃ）は、図３の４Ｃ−４Ｃ線断面図であり、（Ｄ）は、図３の４Ｄ−４Ｄ線断面図である。
【図５】（Ａ）は、箸の背面図であり、（Ｂ）は、（Ａ）の拡大図である。
【図６】箸の平面図である。
【図７】箸の底面図である。
【図８】図１のＡ−Ａ´部の拡大斜視図である。
【考案を実施するための形態】
【００１８】
以下に、本考案に係る実施形態の一例を図面に基づき説明する。
【００１９】
（本実施形態に係る箸１０）
まず、箸１０の構成について説明する。図１は、箸１０の斜視図である。図２（Ａ）は、箸１０の正面図（箸１０を先端側から見た図）であり、図２（Ｂ）は、図２（Ａ）を拡大して示す正面図である。図３は、箸１０の側面図（右側面図）である。図４（Ａ）は、図３の４Ａ−４Ａ線断面図であり、図４（Ｂ）は、図３の４Ｂ−４Ｂ線断面図である。図４（Ｃ）は、図３の４Ｃ−４Ｃ線断面図であり、図４（Ｄ）は、図３の４Ｄ−４Ｄ線断面図である。図５（Ａ）は、箸１０の背面図（箸１０を後端側から見た図）であり、図５（Ｂ）は、図５（Ａ）を拡大して示す背面図である。図６は、箸１０の平面図である。図７は、箸１０の底面図である。図８は、図１のＡ−Ａ´部の拡大斜視図である。なお、箸１０は、左側面から見た場合と、右側面から見た場合とにおいて、同じ形状（構成）となっているので、左側面図については省略している。
【００２０】
箸１０は、ラーメンやそば、うどん等の麺類を食する際に用いられる麺箸である。なお、箸１０は、麺類を食するのに適した箸であるが、他の食物を食する際に用いてもよい。
【００２１】
図１及び図３に示されるように、箸１０は、棒状の箸本体１２を備えている。この箸本体１２は、後端（図中の右端）から先端側（図中の左側）に向けて徐々に太さが細くなる先細り形状とされている。
【００２２】
箸本体１２は、具体的には、箸本体１２の先端側の部分を構成する四角柱状（断面四角形状（図４（Ｂ）参照））の四角形部４０と、箸本体１２の後端側の部分を構成する六角柱状（断面六角形状（図４（Ｄ）参照））の六角形部６０と、を有している。さらに具体的には、箸本体１２は、先端側から後端側までの断面形状が、十角形状（図４（Ｃ）参照）を介して四角形状（図４（Ｂ）参照）から六角形状（図４（Ｄ）参照）に変化する。
【００２３】
四角形部４０は、図２（Ａ）に示されるように、箸本体１２の先端側から見て、四角形状をしており、略四角形状の先端面４９を有している。この先端面４９は、図３に示されるように、箸本体１２の軸方向Ｓに対して直交している。
【００２４】
また、四角形部４０は、図４（Ｂ）に示されるように、４つの側面５１、５２、５３、５４を有している。この４つの側面５１、５２、５３、５４のそれぞれの間には、稜線（角部）４１、４２、４３、４４が形成されている。この稜線（角部）４１、４２、４３、４４は、Ｒ状に形成されている。
【００２５】
六角形部６０は、図５（Ａ）に示されるように、箸本体１２の後端側から見て、六角形状をしており、六角形状の後端面６９を有している。この後端面６９は、図３に示されるように、箸本体１２の軸方向Ｓに対して直交している。また、六角形部６０の後端（図３における右側の端部）には、図５（Ｂ）に示されるように、６辺において角が削られて構成された面取部６８が形成されている。
【００２６】
また、六角形部６０は、図４（Ｄ）及び図５（Ｂ）に示されるように、６つの側面７１、７２、７３、７４、７５、７６を有している。この６つの側面７１、７２、７３、７４、７５、７６のそれぞれの間には、稜線（角部）６１、６２、６３、６４、６５、６６が形成されている。この稜線６１、６２、６３、６４、６５、６６は、Ｒ状に形成されている。
【００２７】
四角形部４０と六角形部６０とが接続される箸本体１２の軸方向中間部では、図６及び図４（Ｃ）に示されるように、四角形部４０の側面５１と六角形部６０の側面７１、７２のそれぞれとの境界に、稜線（角部）８１、８２が形成される。また、四角形部４０の側面５２と六角形部６０の側面７２、７３のそれぞれとの境界には、稜線（角部）８３、８４が形成される。
【００２８】
四角形部４０の側面５１、５２は、六角形部６０の側面７１、７２、７３との境界部分において、後端側に向かって徐々に先細りとなる三角形状をしている。一方、六角形部６０の側面７１、７２、７３は、四角形部４０の側面５１、５２との境界部分において、先端側に向かって徐々に先細りとなる三角形状をしている。
【００２９】
さらに、四角形部４０と六角形部６０とが接続される箸本体１２の軸方向中間部では、図７及び図４（Ｃ）に示されるように、四角形部４０の側面５３と六角形部６０の側面７４、７５のそれぞれとの境界に、稜線（角部）８５、８６が形成される。また、四角形部４０の側面５４と六角形部６０の側面７５、７６のそれぞれとの境界には、稜線（角部）８７、８８が形成される。
【００３０】
四角形部４０の側面５３、５４は、六角形部６０の側面７４、７５、７６との境界部分において、後端側に向かって徐々に先細りとなる三角形状をしている。一方、六角形部６０の側面７４、７５、７６は、四角形部４０の側面５３、５４との境界部分において、先端側に向かって徐々に先細りとなる三角形状をしている。
【００３１】
そして、稜線８１〜８８と、稜線６１、６４とによって、箸本体１２の軸方向Ｓの中間部で、断面形状が十角形状とされる（図４（Ｃ）参照）。
【００３２】
図２（Ｂ）に示されるように、箸本体１２の先端側から箸本体１２を見て、四角形部４０の稜線４１の右側に、六角形部６０の稜線６１が配置されている。すなわち、六角形部６０の稜線６１と、四角形部４０の稜線４１とは、箸本体１２の軸周り方向（矢印Ｒ方向）における位置が一致している。これにより、六角形部６０の稜線６１と、四角形部４０の稜線４１とは、箸本体１２の軸方向Ｓに連続しており、直線を構成している。
【００３３】
図２（Ｂ）に示されるように、箸本体１２の先端側から箸本体１２を見て、四角形部４０の稜線４３の左側に、六角形部６０の稜線６４が配置されている。すなわち、六角形部６０の稜線６４と、四角形部４０の稜線４３とは、箸本体１２の軸周り方向（矢印Ｒ方向）における位置が一致している。これにより、六角形部６０の稜線６４と、四角形部４０の稜線４３とは、箸本体１２の軸方向Ｓに連続しており、直線を構成している。
【００３４】
さらに、図２（Ｂ）に示されるように、箸本体１２の先端側から箸本体１２を見て、四角形部４０の稜線４２の上側に、六角形部６０の側面７２が配置されている。四角形部の稜線４２は、具体的には、側面７２の図２における左右方向の中央を向いている。
【００３５】
また、図２（Ｂ）に示されるように、箸本体１２の先端側から箸本体１２を見て、四角形部４０の稜線４４の下側に、六角形部６０の側面７５が配置されている。四角形部の稜線４４は、具体的には、側面７５の図２における左右方向の中央を向いている。
【００３６】
ここで、本実施形態では、図６、図７及び図８に示されるように、四角形部４０の先端部における各側面５１、５２、５３、５４には、凹部９０が、箸本体１２の軸方向Ｓに形成されている。この凹部９０は、四角形部４０の軸方向Ｓ中間部から先端に掛けて形成されている。また、凹部９０は、図４（Ａ）に示されるように、四角形部４０の各側面５１、５２、５３、５４の幅方向（図４（Ａ）のＷ方向）の中央部で最も深くなるように凹んでいる。
【００３７】
さらに、図６、図７及び図８に示されるように、四角形部４０の先端部における側面５１、５２、５３、５４には、環状溝９２が、箸本体１２の軸周りＲに沿って複数形成されている。この各環状溝９２は、凹部９０内を含めて形成されている。
【００３８】
具体的には、環状溝９２は、箸本体１２の軸方向Ｓに近接（連続）して配置された２条で１組とされている。この２条で構成された組は、当該２条の間隔よりも広い間隔で１１組が配置されている。すなわち、環状溝９２は、２２本形成されている。
【００３９】
図３に示されるように、箸本体１２に対する側面視にて、環状溝９２は、四角形部４０の各側面５１、５２、５３、５４において、箸本体１２の軸方向Ｓに対して傾斜している。従って、環状溝９２は、箸本体１２に対する側面視にて、箸本体１２の軸方向Ｓに直交する直交方向Ｐに対しても傾斜している。
【００４０】
環状溝９２は、具体的には、側面５１において、稜線４１から稜線４２へ（図３の上側へ）向かって徐々に先端側に傾斜している。また、環状溝９２は、図６に示されるように、側面５２において、稜線４３から稜線４２へ（図６の右側へ）向かって徐々に先端側に傾斜している。
【００４１】
さらに、環状溝９２は、図７に示されるように、側面５３において、稜線４３から稜線４４へ（図７の右側へ）向かって徐々に先端側に傾斜している。また、環状溝９２は、側面５４において、稜線４１から稜線４４へ（図７の左側へ）向かって徐々に先端側に傾斜している。
【００４２】
（本実施形態に係る作用）
次に、本実施形態に係る作用を説明する。
本実施形態では、箸１０は、例えば、麺及び汁が入った器から麺を口へ運ぶために用いられる。具体的には、箸１０の使用者は、例えば、箸本体１２の後端側の六角形部６０（図１参照）を持って、箸本体１２の先端側の四角形部４０（図１参照）で、器に入った麺を挟み、使用者の口へ麺を運んで麺を食する。
【００４３】
箸１０では、持ち手部分となる六角形部６０は、図４（Ｄ）に示されるように、断面六角形（六角柱）とされているため、断面四角形である場合よりも稜線６１〜６６の角度が大きい（緩い）。これにより、箸本体１２が指にフィットし、箸１０が持ちやすい。また、麺を挟む際に動かす箸は、中指、人差し指及び親指の３点で支持されるため、３の倍数である６つの側面７１〜７６を有する六角柱であることで、箸本体１２の軸周りＲに等間隔で箸本体１２を支持でき、箸１０が持ちやすくなる。
【００４４】
一方、箸１０は、麺を挟む挟持部分となる四角形部４０は、図４（Ｂ）に示されるように、断面四角形（四角柱）とされているため、断面六角形である場合よりも稜線４１〜４４の角度が小さく（きつく）、麺に食い込みやすい。このため、麺が箸本体１２から滑り落ちにくく、麺を口へ運びやすい。
【００４５】
また、本実施形態では、図６及び図７に示されるように、複数の環状溝９２が、箸本体１２の軸周りＲに沿って、箸本体１２の四角形部４０の側面５１〜５４のそれぞれに形成されているため、四角形部４０の側面５１〜５４で挟んだ麺が環状溝９２に引っ掛かり、麺を箸本体１２に保持することができる。これにより、箸本体１２から麺が滑り落ちることを抑制できる。
【００４６】
また、本実施形態では、図３に示されるように、箸本体１２に対する側面視にて、環状溝９２は、四角形部４０の各側面５１、５２、５３、５４において、箸本体１２の軸方向Ｓに対して傾斜している。このため、麺を口へ運ぶ際に、箸本体１２の軸周りＲに麺を掛けた場合には、麺に対して環状溝９２は傾斜した向きになる。これにより、環状溝９２の縁部（角部）９２Ａ（図８参照）が、麺に対して引っ掛かりやすい。従って、箸本体１２から麺が滑り落ちにくく、麺を口へ運びやすい。
【００４７】
なお、本実施形態では、環状溝９２は、それぞれが環状とされて独立しているため、一続きの螺旋状の溝で構成される場合に比べ、箸本体１２の軸方向Ｓに対する角度を設定しやすい。また、各環状溝９２において、箸本体１２の軸方向Ｓに対する角度を変えることも可能となる。
【００４８】
ここで、本実施形態に係る箸１０では、凹部９０が、箸本体１２の軸方向Ｓに沿って四角形部４０の側面５１〜５４に形成されているため、上側を向いた何れかの凹部９０で汁を受けて、汁を側面５１〜５４に留める(保持する）ことができる。このため、四角形部４０の側面５１〜５４で挟んだ麺と、凹部９０に留めた汁とが絡みやすい。従って、麺と汁とが絡んだ状態で、麺を口へ運ぶことができる。
【００４９】
また、本実施形態の箸本体１２では、汁を受ける凹部９０内にも、環状溝９２が形成されているため、凹部９０内で汁と絡んだ状態の麺をしっかりと挟持して、口へ運ぶことができる。
【００５０】
また、本実施形態の箸１０は、先端側から後端側までの断面形状が、十角形状（図４（Ｃ）参照）を介して四角形状（図４（Ｂ）参照）から六角形状（図４（Ｄ）参照）に変化する。このため、断面四角形状の先端側から断面六角形状の後端側の間で、段差なく、箸本体１２の断面をスムーズに変化させることができる。
【００５１】
以上、本考案の実施形態について説明したが、本考案は、上記に限定されるものでなく、上記以外にも、その主旨を逸脱しない範囲内において種々変形して実施可能であることは勿論である。
【００５２】
本実施形態では、環状溝９２は、箸本体１２に対する側面視にて、箸本体１２の軸方向Ｓに対して傾斜していたが、これに限られず、例えば、環状溝９２は、箸本体１２の軸方向Ｓに直交していてもよい。
【００５３】
また、本実施形態では、箸本体１２は、先端側の断面形状が四角形状とされ、後端側の断面形状が六角形状とされていたが、これに限られるものではない。例えば、箸本体１２は、例えば、五角形、八角形、円形の断面形状を含んでいてもよい。また、箸本体１２は、先端から後端にかけて一定の断面形状であってもよい。
【符号の説明】
【００５４】
１０   箸
２０   箸本体
９０   凹部
９２   環状溝
【図１】
0003192028.tif 000003
【図２】
0003192028.tif 000004
【図３】
0003192028.tif 000005
【図４】
0003192028.tif 000006
【図５】
0003192028.tif 000007
【図６】
0003192028.tif 000008
【図７】
0003192028.tif 000009
【図８】
0003192028.tif 000010